(57)【要約】      （修正有）【課題】採取した生体関連物質を効率よく提供可能な、夾雑物が比較的少ない生体関連物質の採取キットを提供する。【解決手段】生体関連物質の採取キット１は、生体関連物質を掻き取る採取具８０と、採取具８０を収容可能な容器３と、採取具８０を保持した状態で容器３内に採取具８０を密閉するキャップ１５とを備え、採取具８０は、扁平な本体８２と、本体８２の先端領域側の幅広な表面に溶着された極細繊維布から構成される採取面８６とを備える。【選択図】図１
2018025546.tif 000002
【特許請求の範囲】
【請求項１】
検体を採取するための採取具であって、
前記採取具は、扁平な本体と、前記本体の先端領域側の幅広な表面に溶着または融着された極細繊維布から構成される採取面とを備える、採取具。
【請求項２】
請求項１に記載の検体の採取具において、
前記極細繊維布は、繊維径が０．７μｍ〜８μｍである、検体の採取具。
【請求項３】
請求項１または２に記載の検体の採取具において、
前記極細繊維布は、前記本体の表面に熱溶着または超音波溶着される、検体の採取具。
【請求項４】
請求項３に記載の検体の採取具において、
前記極細繊維布は、前記本体の表面にホットメルト接着剤を介して溶着または融着される、検体の採取具。
【請求項５】
請求項１〜４のいずれか１項に記載の検体の採取具において、
前記本体は、可撓性樹脂から形成される、検体の採取具。
【請求項６】
請求項１〜５のいずれか１項に記載の検体の採取具において、
前記採取面は、前記本体の前記先端領域側の上面及び／または下面に設けられる、検体の採取具。
【請求項７】
請求項１〜６のいずれか１項に記載の検体の採取具において、
前記採取面は、前記本体の表面に対して傾斜した傾斜面を備える、検体の採取具。
【請求項８】
請求項１〜７のいずれか１項に記載の検体の採取具において、
前記採取面を含む前記採取具の末端領域は、ヘラ状に形成される、検体の採取具。
【請求項９】
請求項１〜８のいずれか１項に記載の検体の採取具において、
前記採取具は、その長手方向に沿って延びる１つまたは複数のリブを備える、検体の採取具。
【請求項１０】
請求項９に記載の検体の採取具において、
前記リブは、前記採取具の上面及び／または下面に形成される、検体の採取具。
【請求項１１】
請求項９または１０に記載の検体の採取具において、
前記リブは、前記採取面に向かって傾斜する前記傾斜面を備える、検体の採取具。
【請求項１２】
請求項１〜１１のいずれか１項に記載の検体の採取具において、
前記採取面は複数の採取面であり、当該複数の採取面は、それぞれ前記本体から分離可能である、検体の採取具。
【請求項１３】
請求項１２に記載の検体の採取具において、
前記複数の採取面は、当該複数の採取面を前記本体から分離するための摘み部をそれぞれ備える、検体の採取具。
【請求項１４】
請求項１２又は１３に記載の検体の採取具において、
前記摘み部は、前記本体から離れて延在する、検体の採取具。
【請求項１５】
請求項１３又は１４に記載の検体の採取具において、
前記複数の採取面のそれぞれが、前記本体の上面及び／又は下面に摘み部を備える、検体の採取具。
【請求項１６】
請求項１２〜１５のいずれか１項に記載の検体の採取具において、
前記複数の採取面は、前記本体の前記表面上で互いに並行に延在する、検体の採取具。
【請求項１７】
請求項１〜１６のいずれか１項に記載の検体の採取具において、
前記検体が、生体関連物質、有機物、及び無機物を含む、検体の採取具
【請求項１８】
請求項１〜１７のいずれか１項に記載の採取具と、前記採取具を収容可能な容器と、前記採取具を保持した状態で前記容器内に前記採取具を密閉するキャップとを備える、検体の採取キット。
【請求項１９】
請求項１８に記載の検体の採取キットにおいて、
前記本体がその末端に接続端部を備え、前記キャップが前記接続端部を取り付けるための取付開口部を備える、検体の採取具。
【請求項２０】
請求項１８または１９に記載の検体の採取キットに、物理処理及び／または化学処理を施すことにより夾雑物を除去することを特徴とする、検体の採取キットを製造する方法。
【請求項２１】
汚れを拭き取るための拭取り具であって、
前記拭取り具は、本体と、前記本体の端部から延長する延長部と、前記延長部に設けられた湾曲部と、前記湾曲部の表面に設けられた拭取り面とを備え、
前記拭き取り面が、前記表面に溶着または融着された極細繊維布から構成される、拭取り具。
【請求項２２】
請求項２１に記載の拭取り具であって、
前記延長部の表面に前記拭取り面が設けられる、拭取り具。
【請求項２３】
請求項２１又は２２に記載の拭取り具であって、
前記湾曲部は、前記拭取り具の前記湾曲部を被拭取り面に押圧すると変形して前記被拭取り面との接触領域が増加するような可撓性を有する、拭取り具。
【請求項２４】
請求項２１〜２３のいずれか１項に記載の拭取り具を用いて、光ファイバー用コネクタの内面を拭き取る、光ファイバー用コネクタの拭き取り方法。
【発明の詳細な説明】
【技術分野】
【０００１】
本発明は、医療機関や食品、医薬品等の製造工場などで生体関連物質を検査する場合に使用される生体関連物質の採取具及び採取キットに係り、特に微生物やウイルス等の微小な生体関連物質の採取に適した生体関連物質の採取具及び採取キットに関する。または、本発明は、光ファイバー用コネクタ等の光学機器の汚れを拭き取る拭取り具に関する。
【背景技術】
【０００２】
生体関連物質の検査には、長年用いられている培養法と、遺伝子工学の発展に伴い普及した迅速法とが実施されている。迅速法は、培養法に比べて短時間で検査結果が得られるため、再生医療現場、食品工場、環境中の微生物等の生体関連物質の検査に採用されている。迅速法とは、環境中の装置、配管内等に付着している微量の微生物やウイルス等の生体関連物質を拭取具で採取し、生体関連物質から核酸（ＤＮＡまたはＲＮＡ）を抽出し、ポリメラーゼ連鎖反応（ＰＣＲ）により核酸を増幅して迅速測定器（リアルタイムＰＣＲ装置等）を用いて、生体関連物質を分析・解析するものである。
【０００３】
生体関連物質を採取するために、拭取用のスワブ（拭取り器具）が用いられている。なお、スワブとは、芯材、繊維、樹脂等の拭取り部からなる微生物拭取り器具である。このような微生物拭取り器具が特許文献１に開示されている。特許文献１は、拭き取り用含浸体を、リン酸緩衝液等の溶液の入った容器内に収容した構造の環境微生物検査用の拭取り器具である。光ファイバー用コネクタ等の光学機器において、光学要素の露出面（光ファイバーの端面）及びその周囲の汚れを除去するためにも、上述したような拭取用のスワブを用いた光コネクタクリーナが提供されている。
【先行技術文献】
【特許文献】
【０００４】
【特許文献１】特開２０１１−６９７７８号公報
【発明の概要】
【発明が解決しようとする課題】
【０００５】
特許文献１に開示された拭取り器具では、検査部位の生体関連物質に直接触れて採取する拭き取り体として綿を玉状にまるめた綿球が使用されていたため、拭き取り面積が小さく一度の拭き取り操作で拭き取れる生体関連物質の拭き取り量も少なくなっていた。また、綿球自体が溶液及び生体関連物質を吸収して保持するため、拭取り器具から取り出せる生体関連物質の絶対量が少なくなるおそれも生じていた。また、従来のスワブに用いる拭き取り体としては、綿球の他に、繊維袋を芯材端部に被せて固定したものが用いられている。このような、繊維袋の拭き取り面は、拭き取りの際にずれ易いだけでなく、拭き取り面の内面と芯材端部との間に空間が生じて、この空間に採取された生体関連物質を含む溶液が溜まるため、検査の際に拭取り器具から生体関連物質の回収率が低くなるおそれが生じていた。
【０００６】
さらに、従来のスワブは、培養法で用いることを前提としていたため、スワブ自体に夾雑物が比較的多く含まれている。従来のスワブは使用前に滅菌処理が行われるが、滅菌処理ではＤＮＡ等の核酸を十分に分解することができなかった。なお、培養法では滅菌処理が行われていれば、残存ＤＮＡは増幅されないため問題は生じなかった。しかしながら、このようなスワブを迅速法に使用すると、夾雑物中の残存ＤＮＡがＰＣＲで増幅・検出されるため、正確な検査が困難になるおそれが生じていた。
【０００７】
そこで、本発明は、生体関連物質を効率よく回収して検査に提供できる生体関連物質の採採取具及び採取キットの提供を目的とする。または、本発明は、夾雑物が比較的少ない生体関連物質の採取キットの提供を目的とする。
または、本発明は、光ファイバー用コネクタ等の光学機器に対して、簡易な構造で光学要素の露出面（端面）及びその周囲の汚れを除去する拭取り具の提供を目的とする。
【課題を解決するための手段】
【０００８】
本発明の各態様は次の通り構成される。
（態様１）検体を採取するための採取具であって、前記採取具は、扁平な本体と、前記本体の先端領域側の幅広な表面に溶着または融着された極細繊維布から構成される採取面とを備える、採取具。（態様２）態様１に記載の検体の採取具において、前記極細繊維布は、繊維径が０．７μｍ〜８μｍである、検体の採取具。（態様３）態様１または２に記載の検体の採取キットにおいて、前記極細繊維布は、前記本体の表面に熱溶着または超音波溶着される、検体の採取具。（態様４）態様３に記載の検体の採取具において、前記極細繊維布は、前記本体の表面にホットメルト接着剤を介して溶着または融着される、検体の採取具。
【０００９】
（態様５）態様１〜４のいずれか１項に記載の検体の採取具において、前記本体は、可撓性樹脂から形成される、検体の採取具。（態様６）態様１〜５のいずれか１項に記載の検体の採取具において、前記採取面は、前記本体の前記先端領域側の上面及び／または下面に設けられる、検体の採取具。（態様７）態様１〜６のいずれか１項に記載の検体の採取具において、前記採取面は、前記本体の表面に対して傾斜した傾斜面を備える、検体の採取具。（態様８）態様１〜７のいずれか１項に記載の検体の採取具において、前記採取面を含む前記採取具の末端領域は、ヘラ状に形成される、検体の採取具。（態様９）態様１〜８のいずれか１項に記載の検体の採取具において、前記採取具は、その長手方向に沿って延びる１つまたは複数のリブを備える、検体の採取具。
【００１０】
（態様１０）態様９に記載の検体の採取具において、前記リブは、前記採取具の上面及び／または下面に形成される、検体の採取具。（態様１１）態様９または１０に記載の検体の採取具において、前記リブは、前記採取面に向かって傾斜する前記傾斜面を備える、検体の採取具。（態様１２）態様１〜１１のいずれか１項に記載の検体の採取具において、前記採取面は複数の採取面であり、当該複数の採取面は、それぞれ前記本体から分離可能である、検体の採取具。（態様１３）態様１２に記載の検体の採取具において、前記複数の採取面は、当該複数の採取面を前記本体から分離するための摘み部をそれぞれ備える、検体の採取具。（態様１４）態様１２又は１３に記載の検体の採取具において、前記摘み部は、前記本体から離れて延在する、検体の採取具。
【００１１】
（態様１５）態様１３又は１４に記載の検体の採取具において、前記複数の採取面のそれぞれが、前記本体の上面及び／又は下面に摘み部を備える、検体の採取具。（態様１６）態様１２〜１５のいずれか１項に記載の検体の採取具において、前記複数の採取面は、前記本体の前記表面上で互いに並行に延在する、検体の採取具。（態様１７）態様１〜１６のいずれか１項に記載の検体の採取具において、前記検体が、生体関連物質、有機物、及び無機物を含む、検体の採取具
（態様１８）態様１〜１７のいずれか１項に記載の採取具と、前記採取具を収容可能な容器と、前記採取具を保持した状態で前記容器内に前記採取具を密閉するキャップとを備える、検体の採取キット。（態様１９）態様１８に記載の検体の採取キットにおいて、前記本体がその末端に接続端部を備え、前記キャップが前記接続端部を取り付けるための取付開口部を備える、検体の採取具。（態様２０）態様１８または１９に記載の検体の採取キットに、物理処理及び／または化学処理を施すことにより夾雑物を除去することを特徴とする、検体の採取キットを製造する方法。
（態様２１）汚れを拭き取るための拭取り具であって、前記拭取り具は、本体と、前記本体の端部から延長する延長部と、前記延長部に設けられた湾曲部と、前記湾曲部の表面に設けられた拭取り面とを備え、前記拭き取り面が、前記表面に溶着または融着された極細繊維布から構成される、拭取り具。（態様２２）態様２１に記載の拭取り具であって、前記延長部の表面に前記拭取り面が設けられる、拭取り具。（態様２３）態様２１又は２２に記載の拭取り具であって、前記湾曲部は、前記拭取り具の前記湾曲部を被拭取り面に押圧すると変形して前記被拭取り面との接触領域が増加するような可撓性を有する、拭取り具。（態様２４）態様２１〜２３のいずれか１項に記載の拭取り具を用いて、光ファイバー用コネクタの内面を拭き取る、光ファイバー用コネクタの拭き取り方法。
【発明の効果】
【００１２】
本発明は、検体を効率よく採取し検査に提供する検体の採取具及び採取キットを提供することができる。または、本発明は、夾雑物が比較的少ない検体の採取キットを提供することができる。
【図面の簡単な説明】
【００１３】
【図１】本発明の第１の実施形態に係る採取キットを示す分解斜視図である。
【図２】図１の採取具の（ａ）上面図及び（ｂ）側面図である。
【図３】本発明の第２の実施形態に係る採取具の（ａ）上面図、（ｂ）側面図、（ｃ）後端面図である。
【図４】本発明の第３の実施形態に係る採取具の（ａ）上面図、（ｂ）側面図、（ｃ）下面図、及び（ｄ）後端面図である。
【図５】本発明の各実施形態に用いる極細繊維の電子顕微鏡写真である。
【図６】第１の実施形態及び比較例による液中パーティクルの測定結果を示すグラフである。
【図７】本発明の第４の実施形態に係る採取具の（ａ）上面図、（ｂ）側面図、及び（ｃ）下面図である。
【図８】本発明の第５の実施形態に係る採取具の側面図である。
【図９】本発明の第６の実施形態に係る採取具の側面図である。
【図１０】本発明の第７の実施形態に係る拭取り具の（ａ）正面図、（ｂ）側面図、（ｃ）上面図である。
【図１１】図１０の拭取り具を用いて光ファイバーの接続部を掃除する状態を示す側面図である。
【発明を実施するための形態】
【００１４】
本発明の検体の採取具及び採取キットに係る各実施形態を、図面を参照しつつ説明する。なお、各図において、同一部分には同一符号を付し適宜説明を省略する。また、本発明の各実施形態に係る生体関連物質の採取具は、汚れ拭取り具とすることもできる。さらに、本発明の第７の実施形態に係る拭取具は、生体関連物質等の採取具とすることもできる。
【００１５】
〔第１の実施形態〕
第１の実施形態に係る生体関連物質の採取キット１の全体構成を説明する。図１に示すように、採取キット１は、一端が閉塞され、内部に所定量の希釈液が充填される容器３と、容器３の開口部５に対して着脱可能に装着されるキャップ１５と、キャップ１５に装着される採取具（スワブ）８０とから構成される。キャップ１５は、容器３の開口部５に対して着脱可能に装着される。キャップ１５は、採取具８０の接続端部８４を保持する取付開口部１１と、取付開口部１１の円筒状空間を通って生体関連物質を含んだ希釈液を外部に取り出す排出口１３とを備える。採取具８０の接続端部８４は、キャップ１５の取付開口部１１に圧入して固定される。
【００１６】
キャップ１５は、一端が閉塞された一例として円筒状の部材で、閉塞された一端には、上述した排出口１３が形成されている。また、排出口１３が形成されているキャップ１５の一端には、ヒンジ３３を介して蓋体３５が開閉可能な状態で取り付けられている。蓋体３５は、キャップ１５とほぼ同径の一端が閉塞された短寸の円筒状の部材によって構成されており、蓋体３５の閉塞された一端の内面には、排出口１３に嵌る栓３７が内方に向かって突出状態で設けられている。
【００１７】
また、キャップ１５の側胴部の内周には、容器３の雄ネジ部６と噛み合う雌ネジ３９が形成されている。キャップ１５の閉塞された一端の内面には、採取具８０の接続端部８４を保持する取付開口部１１が内方に向かって突出状態で設けられている。なお、キャップ１５、ヒンジ３３、及び蓋体３５は、一例として上述した容器３と同材料の一体成形品によって構成されており、ヒンジ３３については、柔軟な曲げ変形を可能にするために、他の部位よりも肉薄に形成されていることが望ましい。
【００１８】
第１の実施形態の採取キット１に取り付けられた採取具８０の構成を説明する。図２に示すように、採取具８０は、細長い板状の本体（扁平な芯材）８２と、本体８２の一方の末端領域に形成された接続端部８４と、本体８２の他方の末端領域に形成された拭取り面または採取面（拭取り体）８６とから構成される。拭取り面８６は、本体８２の先端領域側の幅広な表面（上面及び下面）の全体にわたって溶着または融着された極細繊維布から構成される。図２（ａ）に示すように、接続端部８４は、ｘ方向の幅が本体８２の幅より狭く形成されている。図２（ｂ）に示すように、本体８２の拭取り面８６に傾斜面８７を形成することにより、鋭角な先端部８７ａが形成される。本体８２の先端部８７ａを含む末端領域はヘラ形状である。
【００１９】
拭取り面８６は、本体８２の下面８２ａから傾斜面８７を介して本体８２の上面８２ｂまで連続的に形成されている。本体８２及び接続端部８４は、好ましくは、拭取り時に力を加えても折れにくい可撓性樹脂、例えば、ポリプロピレン（ＰＰ）等により一体形成することができる。拭取り面８６は、樹脂製の極細繊維布を扁平な本体８２に、溶着または融着することにより構成される。具体的には、ホットメルト（無溶剤型接着剤）を用いて、極細繊維布を本体８２の表面に熱溶着または超音波溶着することにより、極細繊維布を拭取り面８６として本体８２と一体化する（貼り付ける）ことができる。この極細繊維布としては、好ましくは核酸またはタンパク質等を含む生体関連物質を繊維表面で絡め取ることができる極細繊維ニットを用いることができる。
【００２０】
極細繊維には、ポリエステル繊維（ＰＥＴ）等を用いることができる。極細繊維の平均繊維径は、好ましくは０．７μｍ〜８μｍ、より好ましくは１μｍ〜５μｍ、さらに好ましくは２μｍとすることができる。図５に２μｍの繊維径を有する極細繊維布の電子顕微鏡写真を示す。図５において（ａ）は極細繊維布の表面写真、（ｂ）極細繊維布の断面写真、（ｃ）は極細繊維布の拡大断面写真である。このような繊維径の極細繊維布を用いることにより、綿等の通常繊維（１５μｍ程度の繊維径）に比べて、極細繊維は繊維隙間で異物と共存する微生物を効率よく確実に採取することができる。極細繊維としては、好ましくは長繊維のポリエステルを用いることができる。採取キット１または採取具（スラブ）８０をクリーンルーム内で化学処理及び物理処理を行って密閉した状態で出荷することが好ましい。化学処理は、例えば、夾雑物（特に核酸）を酸化分解することである。物理処理は、例えば、純水中で超音波洗浄を行った後、純水で洗浄することである。
【００２１】
採取具８０の製造方法を、工程１〜４にしたがって説明する。（工程１）極細繊維布と、台紙付きのホットメルト接着剤をアイロンで溶着する。ホットメルト接着剤は、熱可塑性樹脂である。一般にホットメルトはＰＰ、ＰＥ等には接着しにくいが、東亜合成株式会社が提供するホットメルト接着剤である、アロンメルトシリーズの変性オレフィン系接着剤は、ＰＰ、ＰＥ等に接着が可能であるため、これを用いて熱溶着を行うことができる。アイロン（加熱具）としては、加熱の際に繊維全体が溶解することを防止するために、剣山型アイロンを用いることができる。剣山型アイロンは、等間隔で配置された複数の針を備えている。このような剣山型アイロンを用いることにより、等間隔に配置された複数の溶着点で極際繊維布を本体に溶着することができる。
【００２２】
（工程２）ホットメルト付の極細繊維布をレーザー加工機でカットする。レーザー出力とスピード調整でカット端面の硬さを調節することができる。（工程３）カットしたホットメルト付き極細繊維布をＰＰ製の本体８２（スワブ芯材）に熱溶着する。（工程４）扁平な本体８２に、極細繊維布の裏面すべてをホットメルトで接着させる。これによって、市販品のように繊維袋を芯材に被せて拭取り面を構成していないため、拭取り面の一部が拭取り時に「動く」、または「ずれる」ことはない。
【００２３】
第１の実施形態の採取具８０は、拭取り面８６を用いて平面上に存在する、生体関連物質である微小対象物（微生物を含む異物、バイオフィルム等）を採取する（拭き取る、または掻き取る）ことができる。さらに、先端部が鋭角なヘラ状の先端部８７ａによって、被検査物品の隅にある微小対象物を採取しやすくなる。
【００２４】
第１の実施形態の採取具は、極細繊維を採取部（スワブ）の本体（芯材）に溶着するため、従来のように、袋状繊維布を芯材に被せる場合に比べて、密着性が高くなり、繊維布と芯材との間に不要な空間が生じにくくなり、採集した対象物が容器内の溶液に効率よく移動するため、生体関連物質の回収率が向上する。従来の袋状繊維布を芯材に被せる場合は、採取された生体関連物質が袋内に留まり袋外に出にくいと考えられる。
【００２５】
〔第２の実施形態〕
第２の実施形態に係る生体関連物質の採取具を図３を用いて説明する。第２の実施形態の採取キットは、採取具の構造以外は第１の実施形態の採取キットと同じであるため、同じ部分の説明は省略する。
【００２６】
図３に示すように、第２の実施形態の採取キットは、採取具８０Ａを備える。採取具８０Ａは、本体８２の長手方向に沿って延びる、下面リブ８９及び上面リブ８８を備える。下面リブ８９は、本体下面８２ａから下方に突出し、接続端部８４から本体８２の中央までｙ方向に連続的に形成される。下面リブ８９は、拭取り面８６側向かって傾斜する傾斜面８９ａを備える。上面リブ８８は、本体上面８２ｂから上方に突出して、接続端部８４から拭取り面８６の直前または近傍まで連続的に形成される。上面リブ８８は、拭取り面８６側向かって傾斜する傾斜面８８ａを備える。
【００２７】
リブ８８、８９は、採取具８０Ａと一体成形することができる。採取具８０Ａがリブ８８、８９を備えることにより、採取具８０Ａの成形時に、採取具８０Ａの本体８２が反り返る等、本体８２に歪みが生じることを防止できる。第２の実施形態において、リブは２つ設けたがこれに限定されず、上面または下面の一方に１つのリブを設けたり、３つ以上のリブを設けたりすることも可能である。リブ８８、８９に傾斜面８８ａ、８９ａを設けることにより、拭取り面８６側の弾性を高めて採取（拭き取り、または掻き取り）を容易にすることができる。接続端部８４側までリブ８８、８９を設けることにより接続端部８４の剛性が向上するため、キャップ１５の取付開口部１１に対して採取具８０Ａの接続端部８４を圧入して剛直に固定することができる。
【００２８】
〔第３の実施形態〕
第３の実施形態に係る生体関連物質の採取具を図４を用いて説明する。第３の実施形態の採取キットは、採取具の構造以外は第１の実施形態の採取キットと同じであるため、同じ部分の説明は省略する。図４に第３の実施形態の採取具８０Ｂを示す。第３の実施形態の採取具８０Ｂは、基本的に第２の実施形態の採取具８０Ａと同様な構造であるが各部のサイズ及び形状が相違する。採取具８０Ｂの傾斜部８７のｙ方向長さ（例えば１０ｍｍ）は、採取具８０Ａの傾斜部８７のｙ方向長さ（例えば５ｍｍ）よりも大きくなっている。リブ８８、８９のｘ方向厚みは、０．８ｍｍとすることができる。採取具８０Ｂは各コーナー部が面取りされて丸くなっている点で、採取具８０Ａとは相違する。
【００２９】
一般に微生物のサイズは、０．２μｍ〜数十μｍと言われている。微生物は単独の存在ではなく、栄養源である食品片や微生物が作るバイオフィルム等に付着していることが多い。配管等のバイオフィルムは配管内壁面に固着しており簡単には採取しにくい。本発明の第１及び第２の実施形態の採取具８０、８０Ａ、８０Ｂは、本体８２を扁平にすることにより拭き取り面積を拡大し拭取り機能を向上することができる。
【００３０】
第２の実施形態の採取具８０Ａ、及び第３の実施形態の採取具８０Ｂは、図１に示したキャップ１５に装着される。生体関連物質を採取する際、採取具８０Ａまたは８０Ｂをキャップ１５に装着した状態で用いる。この状態で、キャップ１５を手に持ち、採取具８０Ａまたは８０Ｂの拭取り面８６を、壁面等の物品の表面に押し当てて生体県連物質を拭き取る。このように押し当てる際、採取具８０Ａまたは８０Ｂは、接続端部８４から拭取り面８６の直前または近傍までリブを有するため、採取具全体としてはリブにより剛性を保ちつつ、リブが存在しない拭取り面８６には拭き取りまたは採取に適切な弾性を与えることができる。また、リブの長さ及び／または厚さを調整すること、リブの傾斜面の傾斜角度を調整すること、及び／またはリブを設ける数を調整するが可能である。このような調整により、採取具を形成する樹脂材料を変更することなく、採取具の剛性及び拭取り面の弾性を任意に調整することができる。
【００３１】
〔第４の実施形態〕
第４の実施形態に係る生体関連物質の採取キットを説明する。第４の実施形態の採取キットは、採取具の拭取り面の構造以外は第３の実施形態の採取キットと同じであるため、共通する部分の説明は省略する。図７に示すように、第４の実施形態の採取具８０Ｃは、ｙ方向（長手方向）に延びる２つに分割された拭取り面または採取面（拭取り体）８６ａ、８６ａを備える。２つの拭取り面８６ａ、８６ａは、本体８２の上面８２ｂ側から傾斜面８７を介して下面８２ａまでの並行に延在している。図７（ａ）及び（ｂ）に示すように、拭取り面８６ａは、それぞれ、本体８２の上面８２ｂ側において、リブ８８の傾斜面８８ａの近傍に、第１の摘み部８６ｂを備えている。
【００３２】
拭取り面８６ａ及び摘み部８６ｂは、第１の実施形態で述べた極細繊維布から一体的に構成されている。拭取り面８６ａが本体８２の上面８２ｂに溶着または接着されるものの、摘み部８６ｂは、本体８２に溶着または接着されず、本体８２から離れる方向に延在している。拭取り面８６ａは、第１の摘み部８６ｂ側から引き剥がせる程度に弱く本体８２に溶着または接着されている。採取具８０Ｃを用いて生体関連物質を拭き取った後に、それぞれの第１の摘み部８６ｂを、滅菌したピンセット又は手袋で摘まんで、それぞれの拭取り面８２ａを、本体８２から引きはがすことができる。これによって、それぞれの拭取り面８２ａに拭き取られた生体関連物質又は検体を独立して保管または検査をすることができる。なお、第１の摘み部８６ｂの表面を圧縮又は加熱して、隙間の少ない表面に加工することにより、第１の摘み部８６ｂをメモスペースとすることができる。メモスペースには、ボールペン等の筆記具で、検体の情報（採取の場所や日時）を記入することもできるため、拭取り面８６ａを引き剥がした後に、検定の特定が容易となる。
【００３３】
〔第５の実施形態〕
第５の実施形態に係る生体関連物質の採取具を説明する。第５の実施形態の拭取り具は、第４の実施形態の拭取り具の変形であるため、第４の実施形態と共通する部分の説明は省略する。図８に示す第５の実施形態の拭取り具８０Ｄは、本体８２の下面８２ａ側に、２つの第２の摘み部８６ｃを備えている。採取具８０Ｄを用いて生体関連物質を拭き取った後に、拭取り面８２ａの第１の摘み部８６ｂ及び／又は第２の摘み部８６ｃを摘まんで、拭取り面８２ａを、本体８２から引き剥がす（分離する）ことができる。第５の実施形態では、第１の摘み部８６ｂ及び第２の摘み部８６ｃ側（上面８２ｂ及び下面８２ａ側）から拭取り面８２ａを引き剥がすことができるため、引き剥がす際に拭取り面８２ａに係る応力をより小さくすることができる
【００３４】
〔第６の実施形態〕
第６の実施形態に係る生体関連物質の採取具を説明する。第６の実施形態の拭取り具は、第５の実施形態の拭取り具の変形であるため、第５の実施形態と共通する部分の説明は省略する。図９の第６の実施形態の拭取り具８０Ｅは、本体８２の下面８２ａ側に、２つの第２の摘み部８６ｃを備えるが、本体８２の上面８２ｂ側に、第１の摘み部８６ｃを備えていない。第５の実施形態では、本体８２の上面８２ｂ側に、第１の摘み部８６ｃを備えていないため、拭き取り時に第１の摘み部８６ｃが邪魔にならない。
【００３５】
〔第７の実施形態〕
第７の実施形態に係る汚れの拭取り具（スティッククリーナー）を説明する。図１０に示すように、拭取り具１００は、円柱状の本体１１０と、本体１１０の末端から長手方向に延長される延長部１２０と、延長部１２０の末端に形成される湾曲部１４０とから構成されている。本体１１０、延長部１２０、及び湾曲部１４０は、好ましくは、ポリプロピレン等の可撓性を有する樹脂から一体成型される。さらに、拭取り具１００は、その表面に拭取り面１５０が設けられている。拭取り面１５０は、第１の実施形態で述べたＰＥＴ製の極細繊維布から構成される。この極細繊維布が、本体１１０末端の曲面、延長部１２０の外側面、及び湾曲部１４０の外側面に、それぞれ溶着または接着されることにより、拭取り面１５０を形成する。
【００３６】
第７の実施形態の拭き取り具１００は、光学機器の狭い部分の拭き取りに適合する。例えば、図１１に示すように、光ファイバー用コネクタの汚れの拭き取りに好適である。図１１には、光ファイバー用コネクタ３００が示されている。コネクタ３００は、筒状のレセプタクル３１０と、レセプタクル３１０内部に圧入されるフェルール３２０と、フェルール３２０の中心を延びる光ファイバー３３０とから構成され、フェルール３２０及び光ファイバー３３０（光学機器）には、他の光ファイバー及びフェルールと接続される端面（露出面）３４０が形成されている。
【００３７】
拭取り具１００は、拭き取り時に、図１１（ａ）に示すように、レセプタクル３１０の開口側からコネクタ３００の内部に挿入される。挿入中に、延長部１２０側の拭取り面１５０をレセプタクル３１０の内面に接触した状態で長手方向（軸方向）に移動することにより、レセプタクル３１０の内面の汚れを拭き取ることができる。さらに、拭き取り具１００の湾曲部１４０側の拭取り面１５０を光ファイバー３３０の端面３４０に押圧すると、湾曲部１４０が押し潰されて平坦になり、湾曲部１４０側の拭取り面１５０と光ファイバー３３０の端面３４０との接触面積が増大する。この押し潰された状態で、図１１（ｃ）に示すように、拭取り具１００の本体１１０を回転させると、光ファイバー３３０の端面３４０に拭取り面１５０が擦り付けられ、端面３４０の塵芥等の汚れを効率よく拭き取ることができる。
【００３８】
このように拭取り具１００は、回転と上下動により、拭取り面（繊維の接触面）で、レセプタクル内面及び光ファイバーの端面（コア）の汚れを拭き取ることができる。また、第７の実施形態において、拭取り具１００は、本体１１０、延長部１２０、及び湾曲部１４０が一体成型され、拭取り面１５０を構成する極細繊維が延長部１２０、及び湾曲部１４０に溶着されるため、拭取り具１００の構造及び製造工程が簡易化されて、製造コストを低減できる。
【００３９】
本発明の各実施形態において、採取キット１は希釈液を備えた、ウエット型の採取キットしたが、これに限定されず、希釈液を備えない、ドライ型の採取キットとすることもできる。ドライ型の採取キットとした場合は、希釈液を保持する必要がなくなるため、容器３をより薄く形成することができる。例えば、ドライ型の採取キットとした場合、容器３は、内部に乾燥剤を配置した密封可能な袋状容器とすることができる。ドライ型の採取キットとすることにより、拭き取った生体関連物質が分解または腐敗することを防止できる。
本発明の各実施形態において、生体関連物質を拭き取るものとしたが、拭き取る対象は、生体関連物質に限定されず、有機物、無機物、または放射性核種等の、任意の検体を拭き取るために、各実施形態の拭取り具及び拭取りキットを用いることができる。
第４〜第６の実施形態において、独立して引き剥がせる２つの拭取り面（採取面）８６ａを備えるとしたが、これらの拭取り面は、２つに限定されず複数の拭取り面（採取面）を並行に配置することもできる。
【実施例】
【００４０】
第１の実施形態の採取具（スワブ）８０と、第１及び第２の比較例の市販スワブとの比較実験を行った。第１の実施形態のスワブ８０は、ＰＰ製の扁平な板状の本体（芯材）と、ＰＥＴ製の極細繊維ニットを芯材に溶着した拭取り面とを備え、比較実験前に化学処理、物理処理（超音波洗浄）を行った。第１の比較例のスワブは、市販品であり、芯材と、芯材の先端に被されたＰＥＴ製のニット袋とを備え、比較実験前に化学処理、物理処理（超音波洗浄）を行った。第２の比較例のスワブは、第１の比較例とは異なる市販品であり、芯材と、芯材の先端に被されたＰＥＴ製のニット袋とを備え、比較実験前に化学処理、物理処理を行わなかった。
【００４１】
上述した第１の実施形態、第１及び第２の比較例、の各スワブについて、液中パーティクル測定器を用いて液中パーティクルを測定した。測定結果を表１及び２に示すとともに、図６のグラフに表示する。第１の実施形態のスワブのパーティクル数が第１及び第２の比較例と比べて、一番少ない値となり不純物が少ないことが示された。なお、第１の実施形態及び第１の比較例は、比較実験前に化学処理及び物理処理を行ったため、未処理の第２の比較例に比べて、パーティクル数の値が顕著に小さいことが示された。これによって、化学処理及び物理処理がパーティクル数の低減に有効であることが示された。
【００４２】
【表１】
2018025546.tif 000003
【００４３】
【表２】
2018025546.tif 000004
【符号の説明】
【００４４】
１  採取キット
３  容器
１１  取付開口部
１５  キャップ
８０  採取具（スワブ）
８２  本体（芯材）
８４  接続端部
８６  拭取り面
８７  傾斜面
８８  上面リブ
８９  下面リブ
８０Ａ  採取具（スワブ）
８０Ｂ  採取具（スワブ）
【図１】
2018025546.tif 000005
【図２】
2018025546.tif 000006
【図３】
2018025546.tif 000007
【図４】
2018025546.tif 000008
【図５】
2018025546.tif 000009
【図６】
2018025546.tif 000010
【図７】
2018025546.tif 000011
【図８】
2018025546.tif 000012
【図９】
2018025546.tif 000013
【図１０】
2018025546.tif 000014
【図１１】
2018025546.tif 000015